(57)【要約】【課題】  インクジェット記録方法によって印字した場合に、インクの定着性と発一性が共に良好なインクジェット記録用インクを提供すること。【解決手段】  水と、色材と、ノニオン性界面活性剤とを含有するインクジェット記録用インクであって、３，６−ジチア−１，８−オクタンジオールを５．０質量％以上、１１．０質量％以下含有することを特徴とするインクジェット記録用インク。【選択図】  なし【特許請求の範囲】
【請求項１】
水と、色材と、ノニオン性界面活性剤とを含有するインクジェット記録用インクであって、
３，６−ジチア−１，８−オクタンジオールを５．０質量％以上、１１．０質量％以下含有することを特徴とするインクジェット記録用インク。
【請求項２】
インク全量に対して、３，６−ジチア−１，８−オクタンジオールの含有量をａ質量％、前記ノニオン性界面活性剤の含有量をｂ質量％としたときに、前記ａとｂが、
４．７＜ａ／ｂ＜１８．４
の関係を満たす請求項１に記載のインクジェット記録用インク。
【請求項３】
前記ａとｂが、
８．３＜ａ／ｂ＜１８．４
の関係を満たす請求項２に記載のインクジェット記録用インク。
【請求項４】
請求項１〜３のいずれか１項に記載のインクを記録媒体に向けて吐出し、記録媒体に付着させる工程を有することを特徴とするインクジェット記録方法。
【発明の詳細な説明】
【技術分野】
【０００１】
本発明はインクジェット記録用インク及びインクジェット記録方法に関するものである。
【背景技術】
【０００２】
インクジェット記録装置は、インクを吐出するノズルが形成された記録ヘッドと、この記録ヘッドを搭載して往復移動するキャリッジと、この往復運動方向と垂直な方向に記録媒体を搬送する記録媒体搬送装置を備えている。
【０００３】
インクジェット記録装置は、インクを記録ヘッドから直接噴射させて記録を行うので、インクを常に吐出可能な状態に保つ必要がある。一定期間記録ヘッドを印字させない状態で大気中に曝露した場合でも、記録ヘッドの吐出特性が良好な場合を、発一性が良好であるという。
【０００４】
発一性を良好とする方法として、インクジェット記録用インク中の組成によって乾燥によるノズル詰まりを抑制する提案がなされている（特許文献１及び２参照）。
【特許文献１】特開２００４−２９２８１７
【特許文献２】特開２００５−２９８６０９
【発明の開示】
【発明が解決しようとする課題】
【０００５】
特許文献１及び２に記載のインクは、インクの組成によって、インクからの水分蒸発にともなうノズルの詰まりを抑制する提案である。これらは、インクにジオール類を添加することによって、ノズル詰まりを抑制することを試みている。
【０００６】
しかし、これらのインクは、発一性と定着性の両立という点で不十分である。
【０００７】
従って、本発明の目的は、インクジェット記録方法によって印字した場合に、インクの定着性と発一性が共に良好なインクジェット記録用インクを提供することである。
【課題を解決するための手段】
【０００８】
本発明の目的は、以下の構成により達成される。
【０００９】
即ち、本発明は、水と、色材と、ノニオン性界面活性剤とを含有するインクジェット記録用インクであって、３，６−ジチア−１，８−オクタンジオールを５．０質量％以上、１１．０質量％以下含有することを特徴とするインクジェット記録用インクである。
【００１０】
また、本発明の別の態様は、前記インクを記録媒体に向けて吐出し、記録媒体に付着させる工程を有することを特徴とするインクジェット記録方法である。
【発明の効果】
【００１１】
本発明によれば、インクの定着性と発一性が共に良好なインクジェット記録用インク及びインクジェット記録方法を提供できる。
【発明を実施するための最良の形態】
【００１２】
以下、好ましい実施の形態を挙げて、本発明を更に詳細に説明する。
【００１３】
本発明のインクジェット記録用インクに用いる色材としては、染料及び顔料が挙げられる。
【００１４】
染料としては、下記のような染料を用いることが好ましい。例えば、Ｃ．Ｉ．ダイレクトブラック１７、１９、３２、５１、６２、７１、１０８、１４６、１５４。Ｃ．Ｉ．ダイレクトブルー６、２２、２５、７１、８６、９０、１０６、１９９。Ｃ．Ｉ．ダイレクトレッド１、４、１７、２８、８３。Ｃ．Ｉ．ダイレクトイエロー１２、２４、２６、４４、８６、９８、１００、１３２、１４２。Ｃ．Ｉ．ダイレクトオレンジ３４、３９、４４、４６、６０。Ｃ．Ｉ．ダイレクトバイオレット４７、４８。Ｃ．Ｉ．ダイレクトブラウン１０９。Ｃ．Ｉ．ダイレクトグリーン５９等の直接染料。Ｃ．Ｉ．アシッドブラック２、７、２４、２６、３１、５２、６３、１１２、１１８。Ｃ．Ｉ．アシッドブルー９、２２、４０、５９、９３、１０２、１０４、１１３、１１７、１２０、１６７、２２９、２３４、２５４。Ｃ．Ｉ．アシッドレッド１、６、８、３２、３７、５１、５２、８０、８５、８７、９２、９４、１１５、１８０、２５６、３１７、３１５。Ｃ．Ｉ．アシッドイエロー１１、１７、２３、２５、２９、４２、４９、６１、７１。Ｃ．Ｉ．アシッドオレンジ７、１９。Ｃ．Ｉ．アシッドバイオレット４９等の酸性染料。Ｃ．Ｉ．リアクティブイエロー２、３、１３、１５、１７、１８、２３、２４、３７、４２、５７、５８、６４、７５、７６、７７、７９、８１、８４、８５、８７、８８、９１、９２、９３、９５。１０２、１１１、１１５、１１６、１３０、１３１、１３２、１３３、１３５、１３６、１３７、１３９、１４０、１４２、１４３、１４４、１４５、１４６、１４７、１４８、１５１、１６２、１６３。Ｃ．Ｉ．リアクティブオレンジ５、７、１１、１２、１３、１５、１６、３５、４５、４６、５６、６２、７０、７２、７４、８２、８４、８７、９１、９２、９３、９５、９７、９９。Ｃ．Ｉ．リアクティブレッド３、１３、１６、２１、２２、２３、２４、２９、３１、３３、３５、４５、４９、５５、６３、８５。１０６、１０９、１１１、１１２、１１３、１１４、１１８、１２６、１２８、１３０、１３１、１４１、１５１、１７０、１７１、１７４、１７６、１７７、１８３、１８４、１８６、１８７、１８８、１９０、１９３、１９４、１９５、１９６。２００、２０１、２０２、２０４、２０６、２１８、２２１。Ｃ．Ｉ．リアクティブバイオレット１、４、５、６、２２、２４、３３、３６、３８。Ｃ．Ｉ．リアクティブブルー２、３、５、８、１０、１３、１４、１５、１８、１９、２１、２５、２７、２８、３８、３９、４０、４１、４９、５２、６３、７１、７２、７４、７５、７７、７８、７８、８９。１００、１０１、１０４、１０５、１１９、１２２、１４７、１５８、１６０、１６２、１６６、１６９、１７０、１７１、１７２、１７３、１７４、１７６、１７９、１８４、１９０、１９１、１９４、１９５、１９８。２０４、２１１、２１６、２１７。Ｃ．Ｉ．リアクティブグリーン５、８、１２、１５、１９、２３。Ｃ．Ｉ．リアクティブブラウン２、７、８、９、１１、１６、１７、１８、２１、２４、２６、３１、３２、３３。Ｃ．Ｉ．リアクティブブラック１、５、８、１３、１４、２３、３１、３４、３９等の反応性染料。Ｃ．Ｉ．ベーシックブラック２。Ｃ．Ｉ．Ｉｎｋｊｅｔ  Ｂｌａｃｋ２８６。Ｃ．Ｉ．ベーシックブルー１、３、５、７、９、２４、２５、２６、２８、２９。Ｃ．Ｉ．ベーシックレッド１、２、９、１２、１３、１４、３７。Ｃ．Ｉ．ベーシックバイオレット７、１４、２７。Ｃ．Ｉ．フードブラック１、２。この中でも、直接染料、酸性染料、反応性染料を用いることが好ましい。
【００１５】
顔料としては、下記のような顔料を用いることが好ましい。ブラックインクに使用される顔料としては、例えば、Ｎｏ．２３００、Ｎｏ．９００、ＭＣＦ８８、Ｎｏ．４０、Ｎｏ．５２、ＭＡ７、ＭＡ８、Ｎｏ．２２００Ｂ（以上、三菱化成製）。ＲＡＶＥＮ  １２５５（コロンビア製）。ＲＥＧＡＬ  ４００Ｒ、ＲＥＧＡＬ  ６６０Ｒ、ＭＯＧＵＬ  Ｌ（以上、キヤボット製）。Ｃｏｌｏｒ  Ｂｌａｃｋ  ＦＷ１、１８、Ｃｏｌｏｒ  Ｂｌａｃｋ  Ｓ１７０、１５０、Ｐｒｉｎｔｅｘ  ３５、Ｕ（以上、デグッサ製）等。イエローインクに使用される顔料としては、例えば、Ｃ．Ｉ．Ｐｉｇｍｅｎｔ  Ｙｅｌｌｏｗ  １、２、３、１３、１６、７４、８３、９３、１２８、１３４、１４４等。マゼンタインクに使用される顔料としては、例えば、Ｃ．Ｉ．Ｐｉｇｍｅｎｔ  Ｒｅｄ  ５、７、１２、４８（Ｃａ）、４８（Ｍｎ）、５７（Ｃａ）、１１２、１２２、Ｃ．Ｉ．Ｐｉｇｍｅｎｔ  Ｖｉｏｌｅｔ  １９等。シアンインクに使用される顔料としては、例えば、Ｃ．Ｉ．Ｐｉｇｍｅｎｔ  Ｂｌｕｅ  １、２、３、１５：３、１６、２２、Ｃ．Ｉ．Ｖａｔ  Ｂｌｕｅ  ４、６等。
【００１６】
前記いずれの色の顔料に関しても、水中における分散性が十分確保された形で用いることが好ましい。このような形としては、例えば、顔料の表面にカルボン酸塩等の親水性基が付与されていることが挙げられる。或は、重量平均分子量が１，０００〜３０，０００の範囲の水溶性樹脂、例えば、スチレン、スチレン誘導体、ビニルナフタレン、ビニルナフタレン誘導体。α，β−エチレン性不飽和カルボン酸の脂肪族アルコールエステル等の疎水性単量体。アクリル酸、アクリル酸誘導体。マレイン酸、マレイン酸誘導体。イタコン酸、イタコン酸誘導体。フマル酸、フマル酸誘導体。以上から選ばれる二つ以上の単量体からなるブロック共重合体、グラフト共重合体或いはランダム共重合体、またはこれらの塩等が、付着もしくは結合していることが挙げられる。
【００１７】
本発明のインクジェット記録用インクに含まれる前記色材の量は、インク全量に対して３質量％以上、９質量％以下であることが好ましい。また、５質量％以下であることが、発一性の点で好ましい。
【００１８】
本発明のインクジェット記録用インクは、３，６−ジチア−１，８−オクタンジオールを含有することを特徴とする。インクが３，６−ジチア−１，８−オクタンジオールを含有することで、吐出が安定し、発一性が良好となる。この理由は不明であるが、本発明者らの検討によると、３，６−ジチア−１，８−オクタンジオールは、染料の溶解度が低いため、インク中での染料の濃縮が抑制され、吐出が安定し、発一性が良好になるのではないかと考えられる。
【００１９】
本発明のインクは、３，６−ジチア−１，８−オクタンジオールを、５．０質量％以上、１１．０質量％以下含有する。また、発一性の点で、７．０質量％以上であることが好ましく、９．５質量％以上であることがさらに好ましい。また、同様に、発一性の点で、１０．５質量％以下であることが好ましい。
【００２０】
本発明のインクは、ノニオン性界面活性剤を含有する。本発明のインクが含有するノニオン性界面活性剤としては、以下のものが好ましい。
【００２１】
例えば、３，５−ジメチル−１−ヘキシン−３オール、２，４，７，９−テトラメチル−５−デシン−４，７−ジオール、３，６−ジメチル−４−オクチン−３，６−ジオール。アセチレングリコールのエチレンオキサイド付加物（例えば、アセチレノールＥＨ；川研ファインケミカル製）。アセチレンアルコールのエチレンオキサイド付加物（例えば、アセチレノールＥＬ；川研ファインケミカル製）。アセチレンまたはアルカンのエチレンオキサイド付加物（例えば、サーフィノール１０４、８２、４６５、４８５；Ａｉｒ  Ｐｒｏｄｕｃｔｓ製）。Ｔｅｒｇｉｔｏｌ  １５−Ｓ−５、Ｔｅｒｇｉｔｏｌ  １５−Ｓ−７（いずれもユニオンカーバイドカンパニー製）。以上のようなノニオン性界面活性剤が挙げられる。ノニオン性界面活性剤は、インク全量に対して０．１質量％以上含有していることが好ましい。また、１０．０質量％以下含有していることが好ましい。
【００２２】
本発明のインクは、インク全量に対して、３，６−ジチア−１，８−オクタンジオールの含有量をａ質量％、前記ノニオン性界面活性剤の含有量をｂ質量％としたときに、前記ａとｂが、
４．７＜ａ／ｂ＜１８．４
の関係を満たすことが好ましい。ノニオン性界面活性剤は、臨界ミセル濃度以上含有させても、さらに定着性が向上するものではない。さらに、３，６−ジチア−１，８−オクタンジオールの含有量に対し、ノニオン性界面活性剤の含有量を増やしすぎると、不揮発成分が増えることにより、発一性が劣化する恐れがある。よって、４．７＜ａ／ｂを満たすことが好ましい。また、８．３＜ａ／ｂを満たすことがより好ましく、１５．０＜ａ／ｂを満たすことがさらに好ましい。一般式（１）で表わされる化合物の含有量に対し、ノニオン性界面活性剤が少なすぎると良好な定着性を得ることが困難になる。よって、ａ／ｂ＜１８．４を満たすことが好ましい。
【００２３】
さらに、本発明のインクは、水溶性有機溶剤を含有していてもよい。水溶性有機溶剤としては、次のものが好ましい。例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール等の炭素数１〜４アルキルアルコール類。ジメチルホルムアミド、ジメチルアセドアミド等のアミド類。アセトン、ジアセトンアルコール等のケトンまたはケトンアルコール類。テトラヒドロフラン、ジオキサン等のエーテル類。ポリエチレングリコール、ポリプロピレングリコール等のポリアルキレングリコール類。エチレングリコール、プロピレングリコール、ブチレングリコール、トリエチレングリコール、１，２，６−ヘキサントリオール、チオジグリコール、ヘキシレングリコール、ジエチレングリコール等のアルキレングリコール類。グリセリン；エチレングリコールメチル（またはエチル）エーテル、ジエチルレングリコールメチル（またはエチル）エーテル、トリエチレングリコールモノメチル（またはエチル）エーテル等の多価アルコールの低級アルキルエーテル類。Ｎ−メチル−２−ピロリドン、１，３−ジメチル−２−イミダゾリジノン、トリエタノールアミン、スルホラン等。以上のような水溶性有機溶剤が挙げられる。これらの中でも、ジエチレングリコール等の多価アルコール、トリエチレングリコールモノメチル（またはエチル）エーテル等の多価アルコールの低級アルキルエーテルを含有していることが好ましい。該低級アルコールとは、炭素数が１〜５のアルコールのことをいう。インク中の前記水溶性有機溶剤の含有量は、インク全量に対して２０質量％以下であることが好ましく、１０質量％以下であることがより好ましい。
【００２４】
また、本発明のインクは、水を含有している。水としては、種々のイオンを含有する一般の水でなく、脱イオン水を使用するのが好ましい。
【００２５】
また、本発明のインクは、さらにプロキセル等の防黴剤、ｐＨ調整剤等を含んでいても良い。
【実施例】
【００２６】
以下、実施例及び比較例を用いてさらに具体的に説明するが、本発明は、その要旨を超えない限り、下記実施例により限定されるものではない。なお、以下の記載で、「％」とあるものは、特に断らない限り質量基準である。
【００２７】
＜インクの調製＞
表１〜３に示す各成分を混合し、ポアサイズが０．２２μｍのメンブレンフィルタにて加圧濾過して、各インクを調製した。尚、各インクは、合計が１００％になるように調製されている。また、表中の「ノニオン性界面活性剤」とは、全て、アセチレンのエチレンオキサイド付加物であるサーフィノール４６５（Ａｉｒ  Ｐｒｏｄｕｃｔｓ製）である。また、表中の「ａ／ｂ」とは、インク中における、３，６−ジチア−１，８−オクタンジオールの含有量をａ％、ノニオン性界面活性剤の含有量をｂ％としたときの値である。
【００２８】
また、実施例７のインクが、ジエチレングリコールを１０．０％含有したインクを、実施例１１とする。（Ｄｉｒｅｃｔ  Ｙｅｌｌｏｗ  １３２；６．０％、３，６−ジチア−１，８−オクタンジオール；１０．０％、ノニオン性界面活性剤；０．６％、ジエチレングリコール；１０．０％、水；残部）。
【００２９】
【表１】
2010095561.tif 000002
【００３０】
【表２】
2010095561.tif 000003
【００３１】
【表３】
2010095561.tif 000004
【００３２】
＜発一性評価＞
インクジェット記録装置として、Ｐｉｘｕｓ９５０ｉ（ノズル列４列（シアン、マゼンタ、イエロー、ブラック）記録ヘッド、吐出量；２ｐｌ、ノズルピッチ；３００ｄｐｉ、一列のノズル数；２５６。キヤノン製）を用いた。実施例１〜１１及び比較例１〜３のインクをインクジェット記録装置のインクタンクに収納した。次に、実施例１〜１１及び比較例１〜３のインクを、記録ヘッドからプロフェッショナルフォトペーパーＰＲ−１０１（キヤノン製）に連続吐出した。連続吐出後、吐出を一定時間（１０秒、３０秒）休止した。その後、再びインクを吐出し、その際の吐出速度の低下を下記の５段階で評価した。尚、液滴の吐出速度は、記録ヘッドから吐出したインクに対し、ストロボ発光方式の観察装置にて吐出と発光の同期をとり、吐出後の時間と移動距離から算出した。
１・・・３０秒休止後、吐出不能となる。
２・・・３０秒休止後に吐出可能である。１０秒休止後、吐出速度が連続吐出速度の２０％未満に低下する。
３・・・３０秒休止後に吐出可能である。１０秒休止後、吐出速度が連続吐出速度の２０％以上、５０％未満に低下する。
４・・・３０秒休止後に吐出可能である。１０秒休止後、吐出速度が連続吐出速度の５０％以上、７０％未満に低下する。
５・・・３０秒休止後に吐出可能である。１０秒休止後、吐出速度が連続吐出速度の７０％以上である。
【００３３】
＜定着性評価＞
インクジェット記録装置として、Ｐｉｘｕｓ９５０ｉ（キヤノン製）を用いた。実施例１〜１１及び比較例１〜３のインクをインクジェット記録装置のインクタンクに収納し、記録媒体上に、５ｍｍ四方の正方形のベタパターンが市松模様状になるようにインク滴を吐出した。前記記録媒体としては、ホワイトリサイクルペーパーＥＷ−１００（キヤノン製）を用いた。さらに、印字が終了してから１０秒後に、前記市松模様状のベタパターンに対し、ろ紙によって擦り試験を行った。前記ろ紙は、Ｎｏ．５ｃ（東洋ろ紙製）を用いた。定着性の評価は、前記擦り試験の結果に基づき、下記５段階の基準で行った。
５・・・前記市松模様状のベタパターンはかすれなかった。
４・・・前記市松模様状のベタパターンは僅かにかすれたが、目立たなかった。
３・・・前記市松模様状のベタパターンはかすれた。
２・・・前記市松模様状のベタパターンは激しくかすれた。
１・・・一部のノズルで液滴が吐出されない。
【００３４】
以上の評価の結果を表４に示す。尚、気温２５℃・湿度５０％の環境下での結果である。
【００３５】
【表４】
2010095561.tif 000005
【００３６】
実施例２〜８と比較例１〜３を比較すると、本発明のインクは、発一性及び定着性が良好であることが分かる。また、実施例１と実施例２を比較すると、色材濃度が低いインクの方が、発一性が良好であることが分かる。実施例２〜８から、インク中の３，６−ジチア−１，８−オクタンジオールの含有量は、発一性の点で、７．０質量％以上であることが好ましく、９．５質量％以上であることがさらに好ましく、１０．５質量％以下であることが好ましいことが分かる。実施例７と、実施例１０及び１１を比較すると、本発明のインクは色材が異なっていても発一性が良好であることが分かる。